(57)【要約】      （修正有）【課題】取り付けが容易であり、遠距離からでも確実に視認可能な発光状態を維持し、且つ発光が必要な場合にのみ確実に発光すると共に、運動動作を阻害せず、且つ衣服としての外観品質が高い発光装飾部を備えた衣服を提供する。【解決手段】衣服本体部１１の視認可能な位置に発光装飾部１２が配設された衣服１０であって、上記発光装飾部は、電源部１３と、該電源部から供給される電力によって発光する複数の発光ダイオード１４と、上記電源部と上記発光ダイオードを接続する回路部とを備え、上記電源部及び上記回路部は、合成樹脂からなる薄板片のケース部１６内に封入状態で配設されていると共に、上記回路部には、振動を検知した場合に、上記回路部を通電状態として、上記発光ダイオードを発光させる振動検知部が設けられた構成とする。【選択図】図１
0003168233.tif 000002
【実用新案登録請求の範囲】
【請求項１】
衣服本体部の視認可能な位置に発光装飾部が配設された衣服であって、
上記発光装飾部は、電源部と、上記電源部から供給される電力によって発光する複数の発光ダイオードと、上記電源部と上記発光ダイオードを接続する回路部とを備え、
上記電源部及び上記回路部は、合成樹脂からなる薄板片のケース部内に封入状態で配設されていると共に、
上記回路部には、振動を検知した場合に、上記回路部を通電状態として、上記発光ダイオードを発光させる振動検知部が設けられていることを特徴とする衣服。
【請求項２】
上記回路部には、上記回路部を開閉可能なスイッチ部が設けられていることを特徴とする請求項１に記載の衣服。
【請求項３】
上記ケース部は、長方形薄板状に形成され、
上記ケース部の長さ方向、若しくは幅方向両端部には、防水状態で延出する、帯状の延設回路部が配設され、
上記発光ダイオードは、上記延設回路部上に所定間隔寸法離間して配置され、上記スイッチ部は、上記ケース部の一方面部から外方に突出して配設された押しボタン部を備え、上記押しボタン部を押すことによって、上記回路部を開閉することを特徴とする請求項１または請求項２記載の衣服。
【請求項４】
上記回路部には、上記複数の発光ダイオードの点滅間隔を制御しうる発光制御部が配設されていることを特徴とする請求項１から請求項３いずれか１項に記載の衣服。
【請求項５】
上記回路部には、上記発光装飾部のケース部への振動の入力方向を検知しうる振動入力方向検知部が配設され、
上記振動入力方向検知部は、上記ケース部が、上記衣服本体部に対して所定の方向に配置され、上記ケース部に対する所定の方向からの振動の入力があった場合には、上記回路部を通電可能な状態に保持すると共に、上記発光装飾部が所定方向以外に配置され、上記ケース部に対する所定の方向からの振動の入力が無かった場合には、上記回路部を遮断状態に保持しうることを特徴とする請求項１から請求項４いずれか１項に記載の衣服。
【考案の詳細な説明】
【技術分野】
【０００１】
本考案は、着用時において発光する発光装飾部を備えた衣服に関する。
【背景技術】
【０００２】
スポーツウェア等、屋外で着用する衣服には、夜間での安全を確保するために、光を反射する反射テープ等を、衣服本体部の視認可能な場所に貼設する場合が多い。
上記反射テープを貼設しておくことによって、例えば夜間のジョギング等の場合において、自動車のヘッドライトを反射し、自動車の運転者に対して、人間がいることをいち早く検知させ、事故を回避することができる。
【０００３】
しかしながら反射テープの場合、自動車等の強い光は、効率的に反射するが、自転車等の弱い光に対しては十分な反射効果が得られないことがある。
また、貼設場所を的確に選択しないと、自動車等の光が適切に当たらず、十分な反射効果が得られない場合もあった。
【０００４】
また反射テープに、蓄光塗料を塗布し、自発的に発光させる製品も流通しているが、蓄光塗料の発光効果は、時間と共に減衰するため、安全確認が十分に行えなくなる虞があった。
【０００５】
また、ポケットライト等の小型照明具を直接身体に固定する方法も考えられるが、着脱作業が面倒であると共に、走行動作の邪魔になる場合もある。
【０００６】
また、図４（ａ）、（ｂ）に示すように、ベスト７０の前身頃７１と後身頃７２の外面に反射シート７３を配設して、上記反射シート７３に所定間隔でＬＥＤプリズム発光体７４が配置された発光・光反射ベスト７０が提案されている（特許文献１）。
しかしながら、図４（ａ）から（ｃ）に示すように、上記特許文献１にかかるベスト７０は、反射シート７３が前身頃７１、後身頃７２にたすき状に配設され、図４（ｃ）に示すように、上記後身頃７２には、別体で電池部７５が配置されており、全体の構造が大掛かり、且つ複雑である。
また、スイッチが通電状態の場合、着用者の状態に関わらず、常に発光し続けるため、電池部７５の電力消耗が顕著となる。
従って、製作コスト及び維持コストが高くなると共に、上記特許文献１に係るベスト７０は、主に夜間の工事現場等において、作業衣等に適用するものであるため、視認性・安全性のみが考慮され、外観品質が極めて劣るという不具合を有していた。
【特許文献１】実登３０２０５４３号公報
【考案の開示】
【考案が解決しようとする課題】
【０００７】
本考案の課題は、取り付けが容易であり、遠距離からでも確実に視認可能な発光状態を維持し、且つ発光が必要な場合にのみ確実に発光すると共に、運動動作を阻害せず、且つ衣服としての外観品質が高い発光装飾部を備えた衣服を提供することにある。
【課題を解決するための手段】
【０００８】
上記課題を解決するために、請求項１の考案にかかる衣服は、衣服本体部の視認可能な位置に発光装飾部が配設された衣服であって、上記発光装飾部は、電源部と、上記電源部から供給される電力によって発光する複数の発光ダイオードと、上記電源部と上記発光ダイオードを接続する回路部とを備え、上記電源部及び上記回路部は、合成樹脂からなる薄板片のケース部内に封入状態で配設されていると共に、上記回路部には、振動を検知した場合に、上記回路部を通電状態として、上記発光ダイオードを発光させる振動検知部が設けられていることを特徴とする。
【０００９】
従って、上記ケース部を、衣服の外表面部の視認可能な位置において、貼着等の手段によって簡単に装着することが可能である。
【００１０】
また、請求項２の考案にかかる衣服は、上記回路部には、上記回路部を開閉可能なスイッチ部が設けられていることを特徴とする。
【００１１】
従って、衣服を着用していない場合等、上記発光装飾部の発光が不要な場合には、発光を停止させることができる。
【００１２】
また、請求項３の考案にかかる衣服は、上記ケース部は、長方形薄板状に形成され、上記ケース部の長さ方向、若しくは幅方向両端部には、防水状態で延出する、帯状の延設回路部が配設され、上記発光ダイオードは、上記延設回路部上に所定間隔寸法離間して配置され、上記スイッチ部は、上記ケース部の一方面部から外方に突出して配設された押しボタン部を備え、上記押しボタン部を押すことによって、上記回路部を開閉することを特徴とする。
【００１３】
従って、上記ケース部と上記延設回路部を衣服の視認可能位置に貼設等の手段によって固定した状態で、上記押しボタン部を押すことによって、発光の有無を切り替えることができる。
【００１４】
また、請求項４の考案に係る衣服は、上記回路部には、上記複数の発光ダイオードの点滅間隔を制御しうる発光制御部が配設されていることを特徴とする。
【００１５】
従って、複数の発光ダイオードが所定間隔を置いて交互に点滅する。
【００１６】
また、請求項５の考案に係る衣服は、上記回路部には、上記発光装飾部のケース部への振動の入力方向を検知しうる振動入力方向検知部が配設され、上記振動入力方向検知部は、上記ケース部が、上記衣服本体部に対して所定の方向に配置され、上記ケース部に対する所定の方向からの振動の入力があった場合には、上記回路部を通電可能な状態に保持すると共に、上記発光装飾部が所定方向以外に配置され、上記ケース部に対する所定の方向からの振動の入力が無かった場合には、上記回路部を遮断状態に保持しうることを特徴とする。
【００１７】
従って、上記発光装飾部を衣服から取り外して、上記回路部に通電されない配置方向に配置して装着することによって、振動検知の有無、及びスイッチ部の状態に関わらず、発光ダイオードは発光しない。
【考案の効果】
【００１８】
請求項１の考案にあっては、衣服本体部の視認可能な位置に発光装飾部が配設され、上記発光装飾部は、電源部と、上記電源部から供給される電力によって発光する複数の発光ダイオードと、上記電源部と上記発光ダイオードを接続する回路部とを備え、上記電源部及び上記回路部は、合成樹脂からなる薄板片のケース部内に封入状態で配設されていると共に、上記回路部には、振動を検知した場合に、上記回路部を通電状態として、上記発光ダイオードを発光させる振動検知部が設けられていることから、取り付けが容易であり、遠距離からでも確実に視認可能な発光状態を維持し、且つ発光が必要な場合にのみ確実に発光すると共に、運動動作を阻害せず、且つ衣服としての外観品質が高い発光装飾部を備えた衣服を提供することができる。
【００１９】
また、請求項２の考案にあっては、上記回路部には、上記回路部を開閉可能なスイッチ部が設けられていることから、衣服を着用していない場合等、上記発光装飾部の発光が不要な場合には、発光を停止させることができる。
従って、電源部の電力消耗小さくし、より長時間に亘って発光させることが可能な発光装飾部を有する衣服を提供することができる。
【００２０】
また、請求項３の考案にあっては、上記ケース部は、長方形薄板状に形成され、上記ケース部の長さ方向、若しくは幅方向両端部には、防水状態で延出する、帯状の延設回路部が配設され、上記発光ダイオードは、上記延設回路部上に所定間隔寸法離間して配置され、上記スイッチ部は、上記ケース部の一方面部から外方に突出して配設された押しボタン部を備え、上記押しボタン部を押すことによって、上記回路部を開閉しうることから、衣服を着用していない場合等には、発光装飾部の発光を確実に停止させ、電源部の電力消耗をより小さくすることができる。
【００２１】
また、請求項４の考案にあっては、上記回路部には、上記複数の発光ダイオードの点滅間隔を制御しうる発光制御部が配設されていることから、発光装飾部の発光パターンがより複雑となり、視覚的インパクトが高くなるため、装飾性が高く、外観品質が向上させること可能な衣服を提供することができる。
【００２２】
また、請求項５の考案にあっては、上記回路部には、上記発光装飾部のケース部への振動の入力方向を検知しうる振動入力方向検知部が配設され、上記振動入力方向検知部は、上記ケース部が、上記衣服本体部に対して所定の方向に配置され、上記ケース部に対する所定の方向からの振動の入力があった場合には、上記回路部を通電可能な状態に保持すると共に、上記発光装飾部が所定方向以外に配置され、上記ケース部に対する所定の方向からの振動の入力が無かった場合には、上記回路部を遮断状態に保持しうることから、所定の振動方向でのみ発光させることができ、規則性を持った発光を可能とする。
従って、不使用時における発光装飾部の電源部の電池消耗を更に低減することができる。
【図面の簡単な説明】
【００２３】
【図１】本考案の一実施の形態を示し、実施の形態において、発光装飾部を装着した衣服を装着した状態の正面図である。
【図２】本考案の一実施の形態を示し、実施例の形態における発光装飾部の（ａ）は正面図、（ｂ）は側面図、（ｃ）は背面図である。
【図３】本考案の一実施の形態を示し、実施例の形態の衣服に取り付けられた発光装飾部の回路配置例を示し、（ａ）は振動入力方向検知部のスイッチ部がオンの状態、（ｂ）振動入力方向検知部のスイッチ部がオフの状態を示す概略図である。
【図４】従来の発光装飾部をベストに装着した場合の例を示し、（ａ）は発光・光反射ベストの正面図、（ｂ）は発光・光反射ベストの背面図、（ｃ）は、（ｂ）の一部拡大図である。
【考案を実施するための最良の形態】
【００２４】
以下、添付図面を用いて、衣服が前開きの上着である場合を例として、本考案の実施の形態について説明する。
図１に示すように、本実施例に係る衣服１０は、衣服本体部１１の視認可能な位置に発光装飾部１２が配設され、図２（ａ）から（ｃ）に示すように上記発光装飾部１２は、電源部１３と、上記電源部１３から供給される電力によって発光する複数の発光ダイオード１４と、上記電源部１３と上記発光ダイオード１４を接続する回路部１５とを備えている。
また、上記電源部１３、及び上記回路部１５は、合成樹脂からなる薄板片の略長方形薄板状に形成されたケース部１６内に封入状態で配設され、上記回路部１５には、振動を検知した場合に、上記回路部１５を通電状態として、上記発光ダイオード１４を発光させる振動検知部１７が設けられている。
【００２５】
また、図３に示すように、上記回路部１５には、上記回路部１５を開閉可能なスイッチ部１８が設けられている。
【００２６】
また、図２（ａ）から（ｃ）に示すように、上記ケース部１６の長さ方向両端部には、防水状態で延出する帯状の延設回路部１９ａ、１９ｂが配設され、上記発光ダイオード１４は、上記延設回路部１９ａ、１９ｂ上に所定間隔寸法離間して配置されている。
また、図２（ａ）、（ｂ）に示すように上記スイッチ部１８は、上記ケース部１６の一方面部から外方に突出して配設された押しボタン部２０を備えている。
【００２７】
また、図２（ａ）に示すように、上記回路部１５には、上記複数の発光ダイオード１４、１４、１４、１４の点滅間隔を制御しうる発光制御部２１が配設されている。
【００２８】
また、図２（ａ）及び図３（ａ）、（ｂ）に示すように、上記回路部１５には、上記発光装飾部１２のケース部１６の配置方向を検知しうる振動入力方向検知部２２が配設されている。
【実施例】
【００２９】
以下、上記形態の実施例の構成について、添付図面を用いて詳述する。
図１は、本実施例に係る衣服１０の正面図である。
図１に示すように、本実施例にあっては、上記衣服１０は、前開きの上着であり、上記発光装飾部１２は、上記衣服１０の衣服本体部１１である前身頃の幅方向中央部の前開き部分に貼着、縫い付け若しくは埋設等の手段によって配設されている。
また、上記延設回路部１９ａ、１９ｂは身体上下方向に沿って配置されている。
なお、上記発光装飾部１２を装着する対象の衣服の種類は、特に限定されず、スポーツウェア、作業着、普段着等様々な種類の衣服に適用可能であり、且つ上半身に着用する衣服の他、ズボン等下半身に着用するものであっても良い。
【００３０】
また、図２は、本実施例の形態における発光装飾部１２の（ａ）は正面図、（ｂ）は側面図、（ｃ）は背面図を夫々示している。
図２に示すように、上記発光装飾部１２のケース部１６は、縦約２０ｍｍ×約横２５ｍｍ×厚さ約５ｍｍの合成樹脂製の小型板片に形成されている。
また、上記ケース部１６の内部には、電源部１３はボタン電池２３であり、図２（ｂ）に示すように、上記ボタン電池２３は、発光制御部２１が配設された回路部１５に接続されている。
【００３１】
また、図２（ａ）に示すように、発光ダイオード１４、１４、１４、１４が接続された延設回路部１９ａ、１９ｂは、夫々合成樹脂製の薄いシート材２４からなり、上記回路部１５と接続する接続線路２５が、上記シート材２４に防水状態で封入されている。
また、上記発光ダイオード１４、１４、１４、１４は、上記接続線路２５上において、所定間隔寸法離間して配置されている。
【００３２】
また、図３は、本実施例に係る発光装飾部１２の回路配置の一例を示す概略図である。
図３に示すように、本実施例においては、上記振動検知部１７は、有底円筒形の固定接点部２６ａと、上記固定接点部２６ａの内部に挿入されたコイルバネからなる可動接点部２６ｂとから形成されている。
上記発光装飾部１２を振動させた場合、上記振動に連動して、上記可動接点部２６ｂが矢印Ａの方向に振動し、上記固定接点部２６ａに対し、当接と離間を繰り返す。
また、上記振動入力方向検知部２７は、回路部１５の一部が遮断された遮断部２７ａと、図３（ａ）に示すように、上記発光装飾部１２が、上記衣服本体部に対して所定の方向に配置され、上記ケース部に対する所定の方向からの振動の入力があった場合にのみ、上記遮断部２７ａの両端を接続し、同図（ｂ）に示すように、上記所定方向以外に配置され、上記ケース部に対する所定の方向からの振動の入力が無かった場合には、上記遮断部２７ａの両端から離間して配置されるスイッチ片部２７ｂとから形成されている。
また、スイッチ部１８は、回路部１５上において、上記振動入力方向検知部２７とは別位置に配設されている。
【００３３】
以下、本実施例の作用について添付図面を用いて説明する。
図１に示すように、本実施例に係る衣服１０の衣服本体部１１に装着された発光装飾部１２は、上記衣服１０の着用者が運動等を行うことによって、上記振動検知部１７が振動を検知し、上記可動接点部２６ｂ、と固定接点部２６ａが当接することによって、上記電源部１３、回路部１５、延設回路部１９ａ、１９ｂを介して、発光ダイオード１４、１４、１４、１４に通電され、上記発光ダイオード１４、１４、１４、１４が発光する。
この際、上記発光制御部２１によって、上記発光ダイオード１４、１４、１４、１４の発光タイミングに所定の遅延を生じさせる等によって、発光パターンが複雑となり、視覚的インパクトがより大きくすることができる。
また、運動をやめて休息している場合等は、発光ダイオード１４、１４、１４、１４が発光せず、電力消費を抑えることができる。
【００３４】
また、衣服１０を着用しない場合には、スイッチ部１８の押しボタン部２０を押して、上記回路部１５を遮断しておくことによって、更に余分な電力消費を抑えることができる。
また、図３（ｂ）に示すように、上記振動入力方向検知部２２のスイッチ片部２７ｂと遮断部２７ａとを遮断状態とすることによって、振動検知の有無に関わらず、上記発光ダイオード１４、１４、１４、１４は発光しないため、更に余分な電力消費を抑えることができる。
また、図２に示すように、上記発光装飾部１２のケース部１６は防水、及び耐熱機能を有するため、室内の湿気等にさらされた場合であっても故障し難い。
更に構造が非常に単純であり、低コストで入手可能であることから、取り付けが容易であり、遠距離からでも確実に視認可能な発光状態を維持し、且つ発光が必要な場合にのみ確実に発光すると共に、運動動作を阻害せず、且つ衣服としての外観品質が高い発光装飾部を備えた衣服を低いコストで提供することができる。
【００３５】
なお、本実施例においては、装着される上記発光装飾部の数、配置位置は視認可能な場所であれば、必要に応じて適宜変更可能であり、本実施例に何ら制約されるわけではない。
また、発光ダイオードの配設数、延設回路部の長さについても、衣服の種類及び装着位置に従って適宜変更することができる。
また、衣服は、実施例における上着の他、ズボン、手袋、マフラー、防止、靴下等、身体上に身に着ける衣服であれば、適宜変更しても本実施例と同様の作用効果を得ることができる。
【産業上の利用可能性】
【００３６】
本考案は着用時において発光する発光装飾部を備えた衣服に適用可能である。
【符号の説明】
【００３７】
１０  衣服
１１  衣服本体部  
１２  発光装飾部
１３  電源部
１４  発光ダイオード
１５  回路部
１６  ケース部
１７  振動検知部
１８  スイッチ部
１９ａ延設回路部
１９ｂ延設回路部
２０  押しボタン部
２１  発光制御部
２２  振動入力方向検知部
２３  ボタン電池
２４  シート材
２５  接続線路
２６ａ固定接点部
２６ｂ稼働接点部
２７ａ遮断部
２７ｂスイッチ片部
【図１】
0003168233.tif 000003
【図２】
0003168233.tif 000004
【図３】
0003168233.tif 000005
【図４】
0003168233.tif 000006